(57)【要約】【課題】ユーザが電波環境の良い場所を適切に探索することが可能な通信装置、情報通知方法及び情報通知プログラムを提供する。【解決手段】無線端末１０の無線通信部１１０内の電波強度測定部１２６は、連続的、所定の間隔あるいは間欠的に無線基地局２０から送信される無線信号に対応する電波強度を測定する。無線端末１０の制御部１０２内の測定間隔通知処理部１２４は、電波強度測定部１２６による電波強度の測定タイミングである場合、電波強度の測定間隔に応じて態様が異なる測定間隔画像を表示部１０８に表示させる。【選択図】図２
2013162374.tif 000002
【特許請求の範囲】
【請求項１】
他の通信装置との間で無線通信を行う通信装置であって、
無線信号の電波強度を繰り返して測定する電波強度測定手段と、
前記電波強度測定手段により測定された前記電波強度の情報を通知する電波強度通知手段と、
前記電波強度測定手段による前記電波強度の測定間隔の情報を通知する測定間隔通知手段と、
を備えることを特徴とする通信装置。
【請求項２】
前記測定間隔通知手段は、前記測定間隔の情報に対応する画像を表示することを特徴とする請求項１に記載の通信装置。
【請求項３】
前記測定間隔通知手段は、前記電波強度測定手段による前記電波強度の測定間隔に応じて態様が異なる画像を表示することを特徴とする請求項２に記載の通信装置。
【請求項４】
前記測定間隔通知手段は、前記電波強度測定手段により前記電波強度が測定されるタイミングに応じて変化する画像を表示することを特徴とする請求項２に記載の通信装置。
【請求項５】
他の通信装置との間で無線通信を行う通信装置による情報通知方法であって、
無線信号の電波強度を繰り返して測定する電波強度測定ステップと、
前記電波強度測定ステップにおいて測定された前記電波強度の情報を通知する電波強度通知ステップと、
前記電波強度測定ステップにおける前記電波強度の測定間隔の情報を通知する測定間隔通知ステップと、
を含むことを特徴とする情報通知方法。
【請求項６】
コンピュータを、
無線信号の電波強度を繰り返して測定する電波強度測定手段、
前記電波強度測定手段により測定された前記電波強度の情報を通知する電波強度通知手段、
前記電波強度測定手段による前記電波強度の測定間隔の情報を通知する測定間隔通知手段、
として機能させることを特徴とする情報通知プログラム。
【発明の詳細な説明】
【技術分野】
【０００１】
本発明は、通信装置、情報通知方法及び情報通知プログラムに関する。
【背景技術】
【０００２】
無線通信を行う携帯電話等の無線端末は、通常、電波強度を表示する機能を有する（例えば、特許文献１参照）。携帯電話機の場合、ディスプレイには、電波強度を示す画像（アンテナアイコン画像）が表示され、電波強度が複数段階（例えば、３段階から８段階等）で示される。
【先行技術文献】
【特許文献】
【０００３】
【特許文献１】特開平７−１３１８５６号公報
【発明の概要】
【発明が解決しようとする課題】
【０００４】
携帯電話機のユーザは、電波環境が良く、音声通話やデータ通信が良好に行えている場合には、上述した電波強度を示す画像に注目することは少ない。しかし、電波環境が悪化した場合、携帯電話機のユーザは、電波強度を示す画像に注目する。この場合、携帯電話機のユーザは、携帯電話機による電波強度の測定間隔を認識することができない。このため、携帯電話機のユーザは、移動しながらアンテナアイコン画像の変化を確認しつつ電波環境の良い場所を探索する際に、アンテナアイコン画像によって示されている電波強度が、自分が現在いる場所の電波環境であるか否かを判断できない。すなわち、アンテナアイコン画像によって電波強度が示されているにもかかわらず、携帯電話機のユーザは、自分が現在いる場所の電波環境に確証を抱くことができず、電波環境の良い場所を適切に探索することができない場合があった。
【０００５】
本発明は、このような問題に鑑みてなされたものであり、ユーザが電波環境の良い場所を適切に探索することが可能な通信装置、情報通知方法及び情報通知プログラムを提供することを目的とする。
【課題を解決するための手段】
【０００６】
上記目的を達成するために、本発明の第１の観点に係る通信装置は、他の通信装置との間で無線通信を行う通信装置であって、
無線信号の電波強度を繰り返して測定する電波強度測定手段と、
前記電波強度測定手段により測定された前記電波強度の情報を通知する電波強度通知手段と、
前記電波強度測定手段による前記電波強度の測定間隔の情報を通知する測定間隔通知手段と、
を備えることを特徴とする。
【０００７】
上記目的を達成するために、本発明の第２の観点に係る情報通知方法は、他の通信装置との間で無線通信を行う通信装置による情報通知方法であって、
無線信号の電波強度を繰り返して測定する電波強度測定ステップと、
前記電波強度測定ステップにおいて測定された前記電波強度の情報を通知する電波強度通知ステップと、
前記電波強度測定ステップにおける前記電波強度の測定間隔の情報を通知する測定間隔通知ステップと、
を含むことを特徴とする。
【０００８】
上記目的を達成するために、本発明の第３の観点に係る情報通知プログラムは、
コンピュータを、
無線信号の電波強度を繰り返して測定する電波強度測定手段、
前記電波強度測定手段により測定された前記電波強度の情報を通知する電波強度通知手段、
前記電波強度測定手段による前記電波強度の測定間隔の情報を通知する測定間隔通知手段、
として機能させることを特徴とする。
【発明の効果】
【０００９】
本発明によれば、ユーザが電波環境の良い場所を適切に探索することが可能となる。
【図面の簡単な説明】
【００１０】
【図１】本発明の実施形態に係る無線通信システムの構成を示す図である。
【図２】本発明の実施形態に係る無線端末の構成を示す図である。
【図３】本発明の実施形態に係る無線端末の通知処理を示すフローチャートである。
【図４】図４（Ａ）は本発明の実施形態に係る無線端末の画像表示の第１の例を示す図、図４（Ｂ）は本発明の実施形態に係る無線端末の画像表示の第２の例を示す図である。
【発明を実施するための形態】
【００１１】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることができるのはもちろんである。また、図中同一または相当部分には同一符号を付す。
【００１２】
本発明の実施形態に係る無線通信システム１の構成について説明する。
【００１３】
無線通信システム１は、図１に示すように、通信装置としての携帯電話機等の無線端末１０と、無線基地局２０とにより構成される。本発明の実施形態において、無線端末１０及び無線基地局２０は互いに無線通信を行うことができる。
【００１４】
次に、無線端末１０の詳細な構成を説明する。図２に示すように、無線端末１０は、制御部１０２、メモリ１０４、操作部１０６、表示部１０８、無線通信部１１０及びアンテナ１１２を含む。
【００１５】
制御部１０２は、例えばＣＰＵ（Central Processing Unit）によって構成される。制御部１０２は、バスを介してメモリ１０４、操作部１０６、表示部１０８及び無線通信部１１０を接続する。制御部１０２は、メモリ１０４に記憶されたプログラムに従ってソフトウェア処理を実行することにより、無線端末１０が具備する各種機能を制御する。
【００１６】
例えば、制御部１０２は、ソフトウェア処理を実行することにより、送信及び受信するデータの処理を行い、無線通信部１１０との間でデータの入出力を行うことにより、無線基地局２０との間でデータの送信及び受信を行う。また、制御部１０２は、表示部１０８に対して画像データを出力する。また、制御部１０２は、ユーザが操作部１０６を操作することによって入力される操作信号に基づいて、無線通信部１１０に対してデータを出力したり、表示部１０８に対して画像データを出力する等の各種制御を行う。
【００１７】
メモリ１０４は、例えばＲＡＭ（Random Access Memory）やＲＯＭ（Read Only Memory）である。ＲＯＭは、リードオンリーメモリでもよいし、フラッシュメモリ等の書き換え可能不揮発性メモリでもよい。ＲＡＭは、ダイナミックランダムアクセスメモリでもよいし、電源供給不要のフラッシュメモリ等の書き換え可能不揮発性メモリ、アクセス速度は比較的遅いがランダムアクセス性に優れたＮＯＲ型フラッシュメモリや、ＮＯＲ型よりアクセス速度は速いがブロック単位での読み書きが必要なＮＡＮＤ型フラッシュメモリでもよい。メモリ１０４は、無線端末１０における制御等に用いられる各種情報（プログラム等）を記憶する。
【００１８】
操作部１０６は、テンキーやファンクションキー等によって構成され、ユーザの操作内容を入力するために用いられるインタフェースである。表示部１０８は、例えば、ＬＣＤ（Liquid Crystal Display）、ＰＤＰ（Plasma Display Panel）、ＥＬ（Electroluminescence）ディスプレイ等によって構成される。表示部１０８は、制御部１０２から出力された画像データに従って画像を表示する。
【００１９】
無線通信部１１０は、例えば無線周波数（ＲＦ）回路やベースバンド（ＢＢ）回路等を用いて構成される。無線通信部１１０は、アンテナ１１２を介して、無線信号の送信及び受信を行う。また、無線通信部１１０は、送信信号の符号化及び変調と、受信信号の復調及び復号とを行う。
【００２０】
制御部１０２は、電波強度通知手段としての電波強度通知処理部１２２と、測定間隔通知手段としての測定間隔通知処理部１２４とを含む。また、無線通信部１１０は、電波強度測定手段としての電波強度測定部１２６を含む。
【００２１】
無線通信部１１０内の電波強度測定部１２６は、アンテナ１１２によって受信され、無線通信部１１０に入力される無線信号、具体的には、無線基地局２０から送信される無線信号の電波強度を測定する。更に、電波強度測定部１２６は、測定した電波強度の情報を制御部１０２へ出力する。
【００２２】
電波強度測定部１２６は、無線基地局２０から無線端末１０への無線通信に用いられる通信方式に応じた手法により電波強度を測定することができる。例えば、電波強度測定部１２６は、復号した受信データのエラー状況に基づいて電波強度を測定することができる。
【００２３】
ここで、電波強度測定部１２６は、無線基地局２０から送信される無線信号を検出する毎に、電波強度を測定する。本実施形態では、音声通信の場合等、無線基地局２０と無線端末１０との間でリンクが確立され、無線基地局２０が無線端末１０に対して連続的に無線信号を送信している場合（連続通信中の場合）には、電波強度測定部１２６は、連続的、あるいは、所定の間隔で電波強度を測定する。また、パケット通信の場合等、無線基地局２０と無線端末１０との間でリンクが確立され、無線基地局２０が無線端末１０に対して間欠的に無線信号を送信している場合には、電波強度測定部１２６は、間欠的に電波強度を測定する。また、無線基地局２０と無線端末１０との間でリンクが確立されておらず、無線端末１０が待ち受け状態の場合には、電波強度測定部１２６は、無線基地局２０が所定の周期で送信する報知信号等の無線信号を受信するタイミング（間欠通信時の無線信号の受信間隔よりも長い周期である、例えば５秒毎に到来するタイミング）で電波強度を測定する。
【００２４】
制御部１０２内の電波強度通知処理部１２２は、電波強度測定部１２６からの電波強度の情報が入力されると、当該電波強度の情報に基づいて、ユーザに対して電荷強度を通知するための画像データ（アンテナアイコン画像データ）を生成する。更に、電波強度通知処理部１２２は、生成したアンテナアイコン画像データを表示部１０８へ出力する。これにより、表示部１０８には、電波強度を示す画像（アンテナアイコン画像）が表示される。
【００２５】
制御部１０２内の測定間隔通知処理部１２４は、ユーザに対して電波強度測定部１２６による電波強度の測定間隔を通知するための画像データ（測定間隔画像データ）を生成する。更に、電波強度通知処理部１２２は、生成した測定間隔画像データを表示部１０８へ出力する。これにより、表示部１０８には、測定間隔を示す画像（測定間隔画像）が表示される。
【００２６】
次に、無線端末１０による電波強度及び測定間隔の通知処理を説明する。
【００２７】
図３に示すように、制御部１０２は、無線端末１０が無線基地局２０からの無線信号を間欠的に受信しているか否かを判定する（ステップＳ１１）。例えば、制御部１０２は、無線端末１０と無線基地局２０とがパケット通信を行っている場合には、無線端末２０が間欠受信を行っていると判定し、それ以外の場合には、間欠受信を行っていないと判定する。
【００２８】
無線端末１０が間欠受信を行っている場合（ステップＳ１１：ＹＥＳ）、制御部１０２内の電波強度通知処理部１２２は、電波強度の測定タイミングであるか否かを判定する（ステップＳ１２）。例えば、電波強度通知処理部１２２は、無線通信部１１０内の電波強度測定部１２６からの電波強度の情報が入力された場合に、電波強度の測定タイミングであると判定し、それ以外の場合、電波強度の測定タイミングでないと判定する。
【００２９】
電波強度の測定タイミングでない場合（ステップＳ１２：ＮＯ）、ステップＳ１１以降の動作が繰り返される。一方、電波強度の測定タイミングである場合（ステップＳ１２：ＹＥＳ）、制御部１０２内の測定間隔通知処理部１２４は、表示部１０８に、点灯状態に対応する測定間隔画像（点灯測定間隔画像）を表示させる（ステップＳ１３）。例えば、制御部１０２内の測定間隔通知処理部１２４は、点灯測定間隔画像に対応する画像データを生成し、表示部１０８へ出力する。表示部１０８は、入力された画像データに基づいて、図４（Ａ）に示すように、点灯測定間隔画像４０２を表示する。
【００３０】
次に、制御部１０２内の測定間隔通知処理部１２４は、表示部１０８に、消灯状態に対応する測定間隔画像（消灯測定間隔画像）を表示させる（ステップＳ１４）。例えば、制御部１０２内の測定間隔通知処理部１２４は、消灯測定間隔画像に対応する画像データを生成し、表示部１０８へ出力する。表示部１０８は、入力された画像データに基づいて、図４（Ｂ）に示すように、消灯測定間隔画像４０３を表示する。
【００３１】
次に、制御部１０２内の測定間隔通知処理部１２４は、表示部１０８に表示されるアンテナアイコン画像の更新タイミングであるか否かを判定する（ステップＳ１５）。例えば、メモリ１０４には、アンテナアイコン画像の更新周期の情報（更新周期情報）が記憶されている。制御部１０２内の測定間隔通知処理部１２４は、メモリ１０４内の更新周期情報に基づいて、アンテナアイコン画像の更新タイミングであるか否かを判定することができる。
【００３２】
アンテナアイコン画像の更新タイミングでない場合（ステップＳ１５：ＮＯ）、ステップＳ１１以降の動作が繰り返される。一方、アンテナアイコン画像の更新タイミングである場合（ステップＳ１５：ＹＥＳ）、制御部１０２内の電波強度通知処理部１２２は、表示部１０８に表示されるアンテナアイコン画像を更新させる（ステップＳ１５）。例えば、制御部１０２内の電波強度通知処理部１２２は、最新に入力された電波強度の情報に基づいて、その電波強度を示すアンテナアイコン画像のデータを生成し、表示部１０８へ出力する。表示部１０８は、入力された画像データに基づいて、図４（Ａ）及び図４（Ｂ）に示すように、アンテナアイコン画像４０１を表示する。その後、ステップＳ１１以降の動作が繰り返される。
【００３３】
一方、無線端末１０が間欠受信を行っていない場合（ステップＳ１１：ＮＯ）、制御部１０２内の電波強度通知処理部１２２は、無線端末１０が待ち受け中であるか否かを判定する（ステップＳ２１）。例えば、制御部１０２内の電波強度通知処理部１２２は、無線端末１０との間でリンクが確立されていない場合には、無線端末１０が待ち受け中であると判定し、それ以外の場合には、無線端末が待ち受け中でないであると判定する。
【００３４】
無線端末１０が待ち受け中である場合（ステップＳ２１：ＹＥＳ）、制御部１０２内の測定間隔通知処理部１２４は、表示部１０８に、消灯測定間隔画像を表示させる（ステップＳ２２）。ステップＳ１４と同様、例えば、制御部１０２内の測定間隔通知処理部１２４は、消灯測定間隔画像に対応する画像データを生成し、表示部１０８へ出力する。表示部１０８は、入力された画像データに基づいて、消灯測定間隔画像を表示する。その後、ステップＳ１１以降の動作が繰り返される。
【００３５】
一方、無線端末１０が待ち受け中でない場合（ステップＳ２１：ＮＯ）、換言すれば、音声通信の場合等、無線基地局２０と無線端末１０との間でリンクが確立され、無線基地局２０が無線端末１０に対して連続的に無線信号を送信している場合（連続通信中の場合）には、制御部１０２内の電波強度通知処理部１２２は、電波強度の測定タイミングであるか否かを判定する（ステップＳ３１）。例えば、電波強度通知処理部１２２は、ステップＳ１２と同様、無線通信部１１０内の電波強度測定部１２６からの電波強度の情報が入力された場合に、電波強度の測定タイミングであると判定し、それ以外の場合、電波強度の測定タイミングでないと判定する。
【００３６】
電波強度の測定タイミングでない場合（ステップＳ３１：ＮＯ）、ステップＳ１１以降の動作が繰り返される。一方、電波強度の測定タイミングである場合（ステップＳ３１：ＹＥＳ）、制御部１０２内の測定間隔通知処理部１２４は、表示部１０８に、点灯測定間隔画像を表示させる（ステップＳ３２）。ステップＳ１３と同様、例えば、制御部１０２内の測定間隔通知処理部１２４は、点灯測定間隔画像に対応する画像データを生成し、表示部１０８へ出力する。表示部１０８は、入力された画像データに基づいて、点灯測定間隔画像を表示する。
【００３７】
次に、制御部１０２内の測定間隔通知処理部１２４は、表示部１０８に表示されるアンテナアイコン画像の更新タイミングであるか否かを判定する（ステップＳ３３）。
【００３８】
アンテナアイコン画像の更新タイミングでない場合（ステップＳ３３：ＮＯ）、ステップＳ１１以降の動作が繰り返される。一方、一方、アンテナアイコン画像の更新タイミングである場合（ステップＳ３３：ＹＥＳ）、制御部１０２内の電波強度通知処理部１２２は、表示部１０８に表示されるアンテナアイコン画像を更新させる（ステップＳ３４）。その後、ステップＳ１１以降の動作が繰り返される。
【００３９】
上述した実施形態では、無線端末１０の無線通信部１１０内の電波強度測定部１２６は、連続的、所定の間隔あるいは間欠的に無線基地局２０から送信される無線信号に対応する電波強度を測定する。無線端末１０の制御部１０２内の測定間隔通知処理部１２４は、電波強度測定部１２６による電波強度の測定タイミングである場合、電波強度の測定間隔に応じて態様が異なる測定間隔画像を表示部１０８に表示させる。また、無線端末１０の制御部１０２内の電波強度通知処理部１２２は、所定のタイミングで、表示部１０８が表示するアンテナアイコン画像を更新させる。
【００４０】
具体的には、無線端末１０が間欠受信中の場合、電波強度の測定タイミングが到来する毎に、表示部１０８には、点灯測定間隔画像が表示され、その後、消灯測定間隔画像が表示される。このような測定間隔画像の変化により、ユーザは、電波強度が測定されていることと、その電波強度の測定間隔とを認識することができる。
【００４１】
また、無線端末１０が間欠受信中でも待ち受け中でもない場合、すなわち、電波強度が連続的に測定されている場合には、表示部１０８には点灯測定間隔画像が継続的に表示される。この点灯測定間隔画像が継続的に表示されることにより、ユーザは、電波強度が測定されていることと、その電波強度の測定が連続的に行われていることを認識することができる。
【００４２】
このように、ユーザは、無線端末１０による電波強度の測定間隔を認識することができるため、移動しながらアンテナアイコン画像の変化を確認しつつ電波環境の良い場所を探索する際に、アンテナアイコン画像によって示されている電波強度が、自分が現在いる場所の電波環境であるか否かを判断することができる。このため、ユーザは、自分が現在いる場所の電波環境に確証を抱くことができ、電波環境の良い場所を適切に探索することができる。
【００４３】
その他、本発明は、上記実施形態の説明及び図面によって限定されるものではなく、上記実施形態及び図面に適宜変更等を加えることは可能である。
【００４４】
例えば、上述した実施形態では、無線端末１０が待ち受け中の場合、表示部１０８には、消灯測定間隔画像が表示された。しかし、無線端末１０は、待ち受け中であっても、周期的に無線基地局２０から送信される報知信号等の無線信号を受信することができ、電波強度を測定することができる。従って、待ち受け中においても、無線端末１０が無線信号を受信し、電波強度を測定しているタイミングにおいては、表示部１０８に点灯測定間隔画像が表示され、その後、消灯測定間隔画像が表示されるようにしてもよい。
【００４５】
具体的には、無線端末１０が、待ち受け中において、無線基地局２０からの無線信号を受信し、電波強度の測定タイミングとなる場合、制御部１０２内の測定間隔通知処理部１２４は、表示部１０８に、点灯測定間隔画像を表示させる。続いて、制御部１０２内の測定間隔通知処理部１２４は、表示部１０８に、消灯測定間隔画像を表示させる。
【００４６】
また、上述した実施形態では、無線通信部１１０内の電波強度測定部１２６は、無線基地局２０から送信される無線信号を検出する毎に、電波強度を測定した。しかしながら電波強度の測定タイミングは、これに限定されず、無線通信部１１０内の電波強度測定部１２６は、制御部１０２によって指定されるタイミング（例えば、所定周期で到来するタイミング）で、電波強度を測定するようにしてもよい。この場合も、上述と同様、電波強度の測定タイミングとなる場合、制御部１０２内の測定間隔通知処理部１２４は、表示部１０８に点灯測定間隔画像を表示させ、その後、消灯測定間隔画像を表示させる。
【００４７】
また、上述した実施形態では、無線端末１０内の表示部１０８は、解像度が高いことを前提としたが、例えば、無線端末１０が、公衆無線網とＷＬＡＮ（Wireless Local Area Network）を中継するポータブルルータ等である場合、表示部１０８は、高解像度ではなく、多色ＬＥＤ等の簡易な構造であることが多い。このような場合には、測定間隔通知処理部１２４は、待ち受け中の場合、無線信号の受信時には表示部１０８を点滅させ、それ以外のタイミングでは点灯させる。一方、測定間隔通知処理部１２４は、連続通信中の場合、実際の測定間隔及び電波強度の更新間隔の何れか長い間隔で点滅させたり、当該間隔の間に一度消灯させるようにしてもよい。この場合も、ユーザは、無線端末１０による電波強度の測定間隔を認識することができる。
【００４８】
また、例えば、コンピュータがプログラムを実行することで、無線端末１０の機能を実現してもよい。また、無線端末１０の機能を実現するためのプログラムは、ＣＤ−ＲＯＭ等の記憶媒体に記憶されてもよいし、ネットワークを介してコンピュータにダウンロードされてもよい。
【００４９】
上記の実施形態の一部又は全部は、以下の付記のようにも記載されうるが、以下には限られない。
【００５０】
（付記１）
他の通信装置との間で無線通信を行う通信装置であって、
無線信号の電波強度を繰り返して測定する電波強度測定手段と、
前記電波強度測定手段により測定された前記電波強度の情報を通知する電波強度通知手段と、
前記電波強度測定手段による前記電波強度の測定間隔の情報を通知する測定間隔通知手段と、
を備えることを特徴とする通信装置。
【００５１】
（付記２）
前記測定間隔通知手段は、前記測定間隔の情報に対応する画像を表示することを特徴とする付記１に記載の通信装置。
【００５２】
（付記３）
前記測定間隔通知手段は、前記電波強度測定手段による前記電波強度の測定間隔に応じて態様が異なる画像を表示することを特徴とする付記２に記載の通信装置。
【００５３】
（付記４）
前記測定間隔通知手段は、前記電波強度測定手段により前記電波強度が測定されるタイミングに応じて変化する画像を表示することを特徴とする付記２に記載の通信装置。
【００５４】
（付記５）
他の通信装置との間で無線通信を行う通信装置による情報通知方法であって、
無線信号の電波強度を繰り返して測定する電波強度測定ステップと、
前記電波強度測定ステップにおいて測定された前記電波強度の情報を通知する電波強度通知ステップと、
前記電波強度測定ステップにおける前記電波強度の測定間隔の情報を通知する測定間隔通知ステップと、
を含むことを特徴とする情報通知方法。
【００５５】
（付記６）
コンピュータを、
無線信号の電波強度を繰り返して測定する電波強度測定手段、
前記電波強度測定手段により測定された前記電波強度の情報を通知する電波強度通知手段、
前記電波強度測定手段による前記電波強度の測定間隔の情報を通知する測定間隔通知手段、
として機能させることを特徴とする情報通知プログラム。
【符号の説明】
【００５６】
１０  無線端末
２０  無線基地局
１０２  制御部
１０４  メモリ
１０６  操作部
１０８  表示部
１１０  無線通信部
１１２  アンテナ
１２２  電波強度通知処理部
１２４  測定間隔通知処理部
１２６  電波強度測定部
【図１】
2013162374.tif 000003
【図２】
2013162374.tif 000004
【図３】
2013162374.tif 000005
【図４】
2013162374.tif 000006